(57)【要約】【課題】モータが接続されたインバーターなどに使用しても感電の危険性のない、しかも低コスト・生産性・耐久性に富む複合ソケットを提供する。【解決手段】第１オスコネクタ１２と第２オスコネクタ１３同士を一体化したオスコネクタ１０と、第２メスコネクタ３０とロックアシスタント４０を移動可能に組み付けた第１メスコネクタ２０とから成り、第１コネクタの嵌合時に第２オスコネクタ１３が存在する位置よりも嵌合方向へ第２メスコネクタ３０が移動することを阻止し、第１コネクタの嵌合時に、第２オスコネクタ１３が第２メスコネクタ３０を離脱方向に押し戻すようにし、かつ、第２メスコネクタに移動可能に取り付けたロックアシスタント４０のロック部材４０Ｆは２対のコネクタが嵌合した後、第１メスコネクタ２０が第１オスコネクタ１２から離脱するのを阻止するようにした。【選択図】図１
2010129312.tif 000002
【特許請求の範囲】
【請求項１】
第１オスコネクタと該第１オスコネクタと嵌合・離脱する第１メスコネクタから成る第１コネクタと、第２オスコネクタと該第２オスコネクタと嵌合・離脱する第２メスコネクタから成る第２コネクタと、を有する複合コネクタであって、
前記第１オスコネクタと前記第２オスコネクタを一体化し、
前記第２メスコネクタを前記第１メスコネクタ上に嵌合・離脱方向に移動可能に組み付け、
ロックアシスタントを前記第１メスコネクタ上に嵌合・離脱方向に移動可能に組み付けて成り、
前記第１オスコネクタが、前記第１メスコネクタと係止するための係止部を備え、前記第１メスコネクタが、前記第１オスコネクタ方向に延設した片持ち部材を備え、該片持ち部材の先端手前に前記第１オスコネクタの係止部と係止する被係止部を設け、前記第１オスコネクタと前記第１メスコネクタが嵌合した状態で前記第１オスコネクタの係止部が前記被係止部に係止し、
前記第２メスコネクタが突起部を備え、前記ロックアシスタントが該突起部と当接する当接部を備え、前記第２メスコネクタの突起部が前記当接部に当接すると前記第２メスコネクタが前記第１メスコネクタ上を嵌合方向にそれ以上移動できなくなること、
前記ロックアシスタントが前記第１オスコネクタ方向に延設した長尺状片持ち部材を備え、該長尺状片持ち部材の先端に前記第１メスコネクタの前記被係止部に係止する突起を設け、前記第１オスコネクタと前記第１メスコネクタが離脱した状態で該突起が該被係止部に係止した状態となり、該突起が該被係止部に係止した状態で前記第２メスコネクタの突起部が前記ロックアシスタントの当接部に当接すること、
を特徴とする複合コネクタ。
【請求項２】
第１オスコネクタと該第１オスコネクタと嵌合・離脱する第１メスコネクタから成る第１コネクタと、第２オスコネクタと該第２オスコネクタと嵌合・離脱する第２メスコネクタから成る第２コネクタと、を有する複合コネクタであって、
前記第１オスコネクタと前記第２オスコネクタを一体化し、
前記第２メスコネクタを前記第１メスコネクタ上に嵌合・離脱方向に移動可能に組み付け、
ロックアシスタントを前記第１メスコネクタ上に嵌合・離脱方向に移動可能に組み付けて成り、
前記第１オスコネクタが、前記第１メスコネクタと係止するための係止部を備え、前記第１メスコネクタが、前記第１オスコネクタ方向に延設した片持ち部材を備え、該片持ち部材の先端手前に前記第１オスコネクタの係止部と係止する被係止部を設け、前記第１オスコネクタと前記第１メスコネクタが嵌合した状態で前記第１オスコネクタの係止部が前記被係止部に係止し、
前記第１メスコネクタの片持ち部材の中間部分を外側から内側に押圧すると前記被係止部が前記第１オスコネクタの係止部から抜け出て、前記第１オスコネクタと前記第１メスコネクタとの離脱が可能となること、
前記ロックアシスタントが前記第１オスコネクタ方向に延設した長尺状片持ち部材を備え、前記第１メスコネクタの前記片持ち部材の先端に係止する突起を前記長尺状片持ち部材の先端に設け、前記第１オスコネクタと前記第１メスコネクタが嵌合した状態で前記突起が前記長尺状片持ち部材の先端に係止した状態となること、
前記ロックアシスタントが前記第１オスコネクタ方向に延設したブロック部材を備え、前記第１オスコネクタと前記第１メスコネクタが嵌合した状態で該突起が該先端に係止した状態となって前記ブロック部材が前記第１メスコネクタの片持ち部材の中間部分を外側で覆うようになること、を特徴とする複合コネクタ。
【請求項３】
第１オスコネクタと該第１オスコネクタと嵌合・離脱する第１メスコネクタから成る第１コネクタと、第２オスコネクタと該第２オスコネクタと嵌合・離脱する第２メスコネクタから成る第２コネクタと、を有する複合コネクタであって、
前記第１オスコネクタと前記第２オスコネクタを一体化し、
前記第２メスコネクタを前記第１メスコネクタ上に嵌合・離脱方向に移動可能に組み付け、
ロックアシスタントを前記第１メスコネクタ上に嵌合・離脱方向に移動可能に組み付けて成り、
前記第１オスコネクタが、前記第１メスコネクタと係止するための係止部を備え、前記第１メスコネクタが、前記第１オスコネクタ方向に延設した片持ち部材を備え、該片持ち部材の先端手前に前記第１オスコネクタの係止部と係止する被係止部を設け、前記第１オスコネクタと前記第１メスコネクタが嵌合した状態で前記第１オスコネクタの係止部が前記被係止部に係止し、
前記第１メスコネクタの片持ち部材の中間部分を外側から内側に押圧すると前記被係止部が前記第１オスコネクタの係止部から抜け出て、前記第１オスコネクタと前記第１メスコネクタとの離脱が可能となること、
前記第２メスコネクタが突起部を備え、前記ロックアシスタントが該突起部と当接する当接部を備え、前記第２メスコネクタの突起部が前記当接部に当接すると前記第２メスコネクタが前記第１メスコネクタ上を嵌合方向にそれ以上移動できなくなること、
前記ロックアシスタントが前記第１オスコネクタ方向に延設した長尺状片持ち部材を備え、前記第１メスコネクタの前記片持ち部材の先端手前の前記被係止部および前記先端にそれぞれ係止できる突起を該長尺状片持ち部材の先端に設け、（イ）前記第１オスコネクタと前記第１メスコネクタが離脱した状態で該突起が該被係止部に係止した状態となって前記第２メスコネクタの突起部が前記ロックアシスタントの当接部に当接すること、
（ロ）前記第１オスコネクタと前記第１メスコネクタが嵌合した状態で該突起が該先端に係止した状態となって前記ブロック部材が前記第１メスコネクタの片持ち部材の中間部分を外側で覆うようになること、を特徴とする複合コネクタ。
【請求項４】
前記ロックアシスタントは、本体が前記第１メスコネクタのハウジングの外周を取り囲む環状部と、前記環状部の前記第２メスコネクタ側に前記当接部を備え、
前記環状部の前記第１メスコネクタの前記片持ち部材側に前記片持ち部材を内外で挟んで内側に前記長尺状片持ち部材を外側に前記ブロック部材を設けたことを特徴とする請求項３記載の複合コネクタ。
【請求項５】
前記第２オスコネクタおよび前記第２メスコネクタにそれぞれ互いに係合できる係合部材を設け、前記第２オスコネクタと前記第２メスコネクタが嵌合した状態で前記係合部材同士が係合し、前記係合部材同士の係合を解除しない限り前記第２オスコネクタと前記第２メスコネクタとの嵌合が解除できないことを特徴とする請求項４記載の複合コネクタ。
【請求項６】
前記係合部材のいずれかにテーパ面を備えており、前記第２オスコネクタと前記第２メスコネクタが嵌合するとき前記係合部材同士が自動的に係合することを特徴とする請求項５記載の複合コネクタ。
【請求項７】
前記第１コネクタおよび前記第２コネクタ、前記第１コネクタ又は前記第２コネクタのオスコネクタおよびメスコネクタは互いに入れ替え可能であることを特徴とする請求項１〜６のいずれか１項記載の複合コネクタ。
【発明の詳細な説明】
【技術分野】
【０００１】
本発明は、オスとメスから成るコネクタ対を複数対備えた複合コネクタに関するもので、これらの複数個のコネクタ間に嵌合時や離脱時の順序を付与する機能を機械的構成で実現した複合コネクタ関する。
【背景技術】
【０００２】
〈従来のコネクタ〉
第１コネクタと第２コネクタを備えた従来の複合コネクタにおいても、第１コネクタと第２コネクタが完全に接続された後に、第２コネクタが第２コネクタに接続されるようにしたコネクタは公知である（例えば、特許文献１参照）。
【０００３】
【特許文献１】特開２００６−１５６３８０号公報
【０００４】
〈特許文献１記載の発明の構成〉
特許文献１記載の発明に係るコネクタ装置は、次のような第１コネクタと第２コネクタと保持手段とを備えて成るものである。
第１コネクタは、第１端部及び第２端部、並びに第１接点要素のための第１収容室を有しており、さらに第１ロック手段が配置されたハウジングを含んでいる。そして、第２接点要素のためのソケットを形成するスライダをそのハウジングに移動自在に配置している。
一方、第２コネクタは、第１及び第２コネクタを接続する時に第１接点要素へ接続される第１対応接点要素のためのソケットを形成している。また、第１および第２コネクタが完全に接続された時に第１ロック手段に係合する第２ロック手段を含んでいる。さらに、第２対応接点要素を収容しており、第１コネクタのハウジングの第１ロック手段が第２コネクタの第２ロック手段に完全に接続された時のみ、スライダに配置された第２接点要素が第２対応接点要素と接触するように該スライダの移動を保持手段が許容するようにしている。
【０００５】
〈特許文献１記載の発明の動作〉
そこで、第１コネクタと第２コネクタを接続し続けると、最初に第１接点要素が第１対応接点要素と接触するが、まだ、第２接点要素は第２対応接点要素と接触することができない状態となり、さらに第１コネクタと第２コネクタを接続し続けると、保持アームが弛緩した初期位置を取ることができて、ばねにより保持アームが移動して第２接点要素が第２対応接点要素と接触するようになる。
第１接点要素と第１対応接点要素が完全に相互接続された位置に達しても電流はまだ流れることができず、第２接点要素が導電状態で第２対応接点要素に同時に接続される。同時接続によって信号線が相互に接続されるので、第１接点要素と第１対応接点要素とが効果的に相互接続されたことが信号で伝えられ、この時、第１接点要素と第１対応接点要素との間で、電源用の電流の通電が実施される、というものである。
【０００６】
〈特許文献１記載の発明の欠点〉
〈欠点１〉
特許文献１記載の発明には、第１接点要素と第１対応接点要素との接続と、第２接点要素と第２対応接点要素との接続とを時間差をもって接続させるという考え方はみられるが、しかしながら電流の通電は同時に行わせるものである。
言い換えれば、メイン回路（Ｋ１）とインタロック回路（信号回路Ｋ２）を完全に接続される構造であるが、特許文献１記載の発明では、メイン回路（Ｋ１）とインタロック回路（信号回路Ｋ２）の接続・遮断に時間差を設けることが困難であった。
したがって、モータの制御信号を遮断してもモータの回転が続く場合は発電が行われるので、モータにインバーターが接続されている回路ではインバーターに挿入されているメインコネクタのメスとオスコネクタを離脱しても、特許文献１記載のコネクタの場合、回転しているモータからインバーターに給電が続く可能性があり、感電の危険性があった。
〈欠点２〉
また、特許文献１記載の発明は、第２接点要素と第２対応接点要素との接続にばねを必要としているので、ばね単体のコストが嵩むばかりか、コネクタの製造工程でばねを組み込む工程が別途必要となり、さらにばねの錆等の経年劣化も憂慮される欠点があった。
【発明の開示】
【発明が解決しようとする課題】
【０００７】
本発明は、上記課題を解決するためになされたもので、モータにインバーターなどが接続されていても、感電の危険性のない安全な複合ソケットを提供することを第１の目的としている。
さらに、ばねのような別部品を組み込む必要のない、したがってまた低コスト・生産性・耐久性に富む複合ソケットを提供することを第２の目的としている。
【課題を解決するための手段】
【０００８】
上記目的を達成するため、（１）の発明は嵌合の順序を規制する複合コネクタに係り、第１オスコネクタと該第１オスコネクタと嵌合・離脱する第１メスコネクタから成る第１コネクタと、第２オスコネクタと該第２オスコネクタと嵌合・離脱する第２メスコネクタから成る第２コネクタと、を有する複合コネクタであって、前記第１オスコネクタと前記第２オスコネクタを一体化し、前記第２メスコネクタを前記第１メスコネクタ上に嵌合・離脱方向に移動可能に組み付け、ロックアシスタントを前記第１メスコネクタ上に嵌合・離脱方向に移動可能に組み付けて成り、前記第１オスコネクタが、前記第１メスコネクタと係止するための係止部を備え、前記第１メスコネクタが、前記第１オスコネクタ方向に延設した片持ち部材を備え、該片持ち部材の先端手前に前記第１オスコネクタの係止部と係止する被係止部を設け、前記第１オスコネクタと前記第１メスコネクタが嵌合した状態で前記第１オスコネクタの係止部が前記被係止部に係止し、前記第２メスコネクタが突起部を備え、前記ロックアシスタントが該突起部と当接する当接部を備え、前記第２メスコネクタの突起部が前記当接部に当接すると前記第２メスコネクタが前記第１メスコネクタ上を嵌合方向にそれ以上移動できなくなること、前記ロックアシスタントが前記第１オスコネクタ方向に延設した長尺状片持ち部材を備え、該長尺状片持ち部材の先端に前記第１メスコネクタの前記被係止部に係止する突起を設け、前記第１オスコネクタと前記第１メスコネクタが離脱した状態で該突起が該被係止部に係止した状態となり、該突起が該被係止部に係止した状態で前記第２メスコネクタの突起部が前記ロックアシスタントの当接部に当接すること、を特徴とするものである。
この構成により、第１コネクタが嵌合してから第２コネクタの嵌合が可能となり、嵌合の誤順序を防止することができる。
【０００９】
（２）の発明は離脱の順序を規制する複合コネクタに係り、第１オスコネクタと該第１オスコネクタと嵌合・離脱する第１メスコネクタから成る第１コネクタと、第２オスコネクタと該第２オスコネクタと嵌合・離脱する第２メスコネクタから成る第２コネクタと、を有する複合コネクタであって、前記第１オスコネクタと前記第２オスコネクタを一体化し、前記第２メスコネクタを前記第１メスコネクタ上に嵌合・離脱方向に移動可能に組み付け、ロックアシスタントを前記第１メスコネクタ上に嵌合・離脱方向に移動可能に組み付けて成り、前記第１オスコネクタが、前記第１メスコネクタと係止するための係止部を備え、前記第１メスコネクタが、前記第１オスコネクタ方向に延設した片持ち部材を備え、該片持ち部材の先端手前に前記第１オスコネクタの係止部と係止する被係止部を設け、前記第１オスコネクタと前記第１メスコネクタが嵌合した状態で前記第１オスコネクタの係止部が前記被係止部に係止し、前記第１メスコネクタの片持ち部材の中間部分を外側から内側に押圧すると前記被係止部が前記第１オスコネクタの係止部から抜け出て、前記第１オスコネクタと前記第１メスコネクタとの離脱が可能となること、前記ロックアシスタントが前記第１オスコネクタ方向に延設した長尺状片持ち部材を備え、前記第１メスコネクタの前記片持ち部材の先端に係止する突起を前記長尺状片持ち部材の先端に設け、前記第１オスコネクタと前記第１メスコネクタが嵌合した状態で前記突起が前記長尺状片持ち部材の先端に係止した状態となること、前記ロックアシスタントが前記第１オスコネクタ方向に延設したブロック部材を備え、前記第１オスコネクタと前記第１メスコネクタが嵌合した状態で該突起が該先端に係止した状態となって前記ブロック部材が前記第１メスコネクタの片持ち部材の中間部分を外側で覆うようになること、を特徴とするものである。
この構成により、第２コネクタが離脱してから第１コネクタの離脱が可能となるので、両コネクタの離脱に時間差を確保することができる。したがって、第２コネクタの離脱でモータの制御信号をなくしてモータの回転を止め、慣性による回転が停止するころの時間差でインバーターの第１コネクタを離脱させれば、感電の虞を防止することができる。
【００１０】
（３）の発明は上記嵌合と離脱の両方の順序を規制する複合コネクタに係り、第１オスコネクタと該第１オスコネクタと嵌合・離脱する第１メスコネクタから成る第１コネクタと、第２オスコネクタと該第２オスコネクタと嵌合・離脱する第２メスコネクタから成る第２コネクタと、を有する複合コネクタであって、前記第１オスコネクタと前記第２オスコネクタを一体化し、前記第２メスコネクタを前記第１メスコネクタ上に嵌合・離脱方向に移動可能に組み付け、ロックアシスタントを前記第１メスコネクタ上に嵌合・離脱方向に移動可能に組み付けて成り、前記第１オスコネクタが、前記第１メスコネクタと係止するための係止部を備え、前記第１メスコネクタが、前記第１オスコネクタ方向に延設した片持ち部材を備え、該片持ち部材の先端手前に前記第１オスコネクタの係止部と係止する被係止部を設け、前記第１オスコネクタと前記第１メスコネクタが嵌合した状態で前記第１オスコネクタの係止部が前記被係止部に係止し、前記第１メスコネクタの片持ち部材の中間部分を外側から内側に押圧すると前記被係止部が前記第１オスコネクタの係止部から抜け出て、前記第１オスコネクタと前記第１メスコネクタとの離脱が可能となること、前記第２メスコネクタが突起部を備え、前記ロックアシスタントが該突起部と当接する当接部を備え、前記第２メスコネクタの突起部が前記当接部に当接すると前記第２メスコネクタが前記第１メスコネクタ上を嵌合方向にそれ以上移動できなくなること、前記ロックアシスタントが前記第１オスコネクタ方向に延設した長尺状片持ち部材を備え、前記第１メスコネクタの前記片持ち部材の先端手前の前記被係止部および前記先端にそれぞれ係止できる突起を該長尺状片持ち部材の先端に設け、（イ）前記第１オスコネクタと前記第１メスコネクタが離脱した状態で該突起が該被係止部に係止した状態となって前記第２メスコネクタの突起部が前記ロックアシスタントの当接部に当接すること、（ロ）前記第１オスコネクタと前記第１メスコネクタが嵌合した状態で該突起が該先端に係止した状態となって前記ブロック部材が前記第１メスコネクタの片持ち部材の中間部分を外側で覆うようになること、を特徴とするものである。
この構成により、第１コネクタが嵌合してから第２コネクタの嵌合が可能となり、かつ第２コネクタが離脱してから第１コネクタの離脱が可能となるので、嵌合と離脱の両方の誤順序を防止することができ、モータに接続されているインバーターの感電を防止することができる。
【００１１】
さらに、（４）の発明は、上記（３）の複合コネクタにおいて、前記ロックアシスタントが、前記第１メスコネクタのハウジングの外周を取り囲む環状部と、前記環状部の前記第２メスコネクタ側に前記当接部を備え、前記環状部の前記第１メスコネクタの前記片持ち部材側に前記片持ち部材を内外で挟んで内側に前記長尺状片持ち部材を外側に前記ブロック部材を設けたことを特徴とするものである。
この構成により、ロックアシスタントが少ない材料で、第１コネクタの嵌合前に第２メスコネクタの移動を禁止する（したがって優先嵌合できないようにする）機能と第２コネクタの離脱前に第１コネクタの優先離脱を禁止する機能とを効率よく果たすことができるようになる。
【００１２】
さらに、（５）の発明は、上記（４）の複合コネクタにおいて、前記第２オスコネクタおよび前記第２メスコネクタにそれぞれ互いに係合できる係合部材を設け、前記第２オスコネクタと前記第２メスコネクタが嵌合した状態で前記係合部材同士が係合し、前記係合部材同士の係合を解除しない限り前記第２オスコネクタと前記第２メスコネクタとの嵌合が解除できないことを特徴とするものである。
信号線に引っ張り力が加わっただけで第２オスコネクタと第２メスコネクタとが容易に離脱するおそれのある第２オスコネクタと第２メスコネクタとの意図しない離脱をこの構成により簡単かつ確実に防止することができる。
【００１３】
さらに、（６）の発明は、上記（５）の複合コネクタにおいて、前記係合部材のいずれかにテーパ面を備えており、前記第２オスコネクタと前記第２メスコネクタが嵌合するとき前記係合部材同士が自動的に係合することを特徴とするものである。
この構成により、第２オスコネクタと第２メスコネクタとを嵌合するだけで、
係合部材同士も自動的に係合するので、嵌合時の係合部材の係合操作の煩わしさをなくすることができる。
【００１４】
そして、（７）の発明は、上記（１）〜（６）のいずれかの複合コネクタにおいて、前記第１コネクタおよび前記第２コネクタ、前記第１コネクタ又は前記第２コネクタのオスコネクタおよびメスコネクタは互いに入れ替え可能であることを特徴とするものである。
この構成により、コネクタのオスおよびメスはどちら側にあってもよいので、設計の自由度が増すこととなる。
【発明の効果】
【００１５】
以上のように、上記（１）の発明によれば、第１コネクタが嵌合してから第２コネクタの嵌合が可能となり、嵌合の誤順序を防止することができ、（２）の発明によれば、第２オスコネクタと第２メスコネクタが離脱した後で第１オスコネクタと第１メスコネクタが離脱可能となるので、第１コネクタと第２コネクタの離脱順序を規定することが可能となり、離脱の誤順序を防止することができ、したがってまた、モータに接続されているバッテリーやインバーターの感電を防止することができるようになる。
【００１６】
（３）の発明によれば、第１オスコネクタと第１メスコネクタが嵌合した後で第２オスコネクタと第２メスコネクタが嵌合可能となり、また第２オスコネクタと第２メスコネクタが離脱した後で第１オスコネクタと第１メスコネクタが離脱可能となるので、第１コネクタと第２コネクタの嵌合および離脱の順序を規定することが可能となり、係合および離脱の誤順序を防止することができ、したがってまた、モータに接続されているバッテリーやインバーターの感電を防止することができるようになる。
【００１７】
（４）の発明によれば、ロックアシスタントが少ない材料で、第１コネクタの嵌合前に第２メスコネクタの移動を禁止する（したがって優先嵌合できないようにする）機能と第２コネクタの離脱前に第１コネクタの優先離脱を禁止する機能とを効率よく果たすことができるようになる。
【００１８】
（５）の発明によれば、信号線に引っ張り力が加わっただけで第２オスコネクタと第２メスコネクタとが容易に離脱するおそれのある第２オスコネクタと第２メスコネクタとの意図しない離脱をこの構成により簡単かつ確実に防止することができるようになる。
【００１９】
（６）の発明によれば、第２オスコネクタと第２メスコネクタとを嵌合するだけで、係合部材同士も自動的に係合するので、嵌合時の係合部材の係合操作の煩わしさをなくすることができるようになる。
【００２０】
（７）の発明によれば、コネクタのオスおよびメスはどちら側にあってもよくなるので、設計の自由度が増すこととなる。
【００２１】
このように、本発明によれば、ロックアシスタントのロック・解除の時間により、インタロック回路Ｋ２（信号回路）とメイン回路Ｋ１（第二回路）開閉の時間差で、機器の間を接続するコネクタ同士を確実に接続・遮断することができ、感電の危険性をなくすることができるようにした。
また、コネクタの嵌合順番は、まずメイン回路Ｋ１の嵌合（閉）がなされ、ついでインタロック回路Ｋ２（信号回路）の嵌合（閉）となり、逆に、コネクタの離脱順番は、まずインタロック回路Ｋ２（信号回路）の離脱（開）がなされ、ついでメイン回路Ｋ１（信号回路）の離脱（開）となるので、逆順番に実施される可能性を機械的に防ぐことができる。
さらに、ばねを一切使用しないので、ばねによる弊害（コスト高・製造工程増加・経年劣化）の生じないコネクタが得られる。
【発明を実施するための最良の形態】
【００２２】
次に、本発明の最良の実施形態について図面に基づいて説明する。
【００２３】
〈本発明の複合コネクタを構成する５つの要素〉
図１は本発明に係る複合コネクタを示す分解斜視図であり、図２は図１の複合コネクタの正面図、図３は離脱させた状態の複合コネクタの斜視図で、（ａ）はメインメスコネクタ側、（ｂ）はメインオスコネクタ側を表している。
図１〜図３において、１は本発明に係る複合コネクタであり、複合コネクタ１は、メインオスコネクタ１２とインタロックオスコネクタ１３とが共通フランジ１１に一体成形されて成るオスコネクタ１０と、メインオスコネクタ１２と嵌合・離脱されるメインメスコネクタ２０と、メインメスコネクタ２０に嵌合・離脱方向に移動可能に組み付けられてインタロックオスコネクタ１３と嵌合・離脱されるインタロックメスコネクタ３０と、メインメスコネクタ２０に嵌合・離脱方向に移動可能に組み付けられるロックアシスタント４０とで構成される。
以下、（１）メインオスコネクタ１２と、（２）メインメスコネクタ２０と、（３）インタロックオスコネクタ１３と、（４）インタロックメスコネクタ３０と、（５）ロックアシスタント４０の各構成についてこの順序で説明する。
【００２４】
〈メインオスコネクタ１２の構成〉
メインオスコネクタ１２は、主として動力線用のコネクタとして使用されるものでインタロックオスコネクタ１３と比較して大型に形成されている。往復電線用の端子１６（図３）が、２つの円筒ハウジング１４（図３）内にそれぞれ収納されている。メインオスコネクタ１２の接続部自体の構成は公知の汎用のものでよい。
《特徴１》
本発明によって、ロック爪１２Ｌ（図２、図３（ｂ））が、円筒ハウジング１４の外部に延設されたハウジング１５の内側に設けられている。このロック爪１２Ｌは、メインオスコネクタ１２がメインメスコネクタ２０と嵌合したとき、メインメスコネクタ２０側にある係止孔２２Ｌ（図３）に係止して互いに離脱しないようにロックするためのものである。
【００２５】
〈メインメスコネクタ２０の構成〉
メインメスコネクタ２０は、同じく動力線用のコネクタとして使用されるものでインタロックメスコネクタ３０と比較して大型に形成されている。往復電線用の端子２６（図３）が共通ハウジング２４（図３）内に収納されている。メインメスコネクタ２０の接続部自体の構成は公知の汎用のものでよい。
共通ハウジング２４の上部には、インタロックメスコネクタ３０を移動可能に係止するための断面逆Ｌ字状の長いレール２９（図１、図３）が２本互いに平行に設けられている。
《特徴１》
本発明によって、片持ちアーム２２（図３（ａ）。後述の図１４も参照）がその自由端が嵌合方向を向いて共通ハウジング２４内の下方に設けられ、かつその先端手前に係止孔２２Ｌ（図３（ａ）、図１４）が設けられている。
この係止孔２２Ｌは、メインメスコネクタ２０がメインオスコネクタ１２と嵌合したときメインオスコネクタ１２側にあるロック爪１２Ｌ（図３）が係止して互いに離脱しないようにロックするためのものである。
次に、このロック爪１２Ｌと係止孔２２Ｌのロック動作について説明する。
【００２６】
〈ロック爪１２Ｌと係止孔２２Ｌのロック動作〉
片持ちアーム２２（図１４）は長尺状の平らな板状物で、その自由端先端２２Ｓは厚みが薄くなっている。
一方、ロック爪１２Ｌ（図３。図１４）は上向きの突起物であって、嵌合方向進むに伴ってその突起が次第に低くなる傾斜が付与されている。
嵌合時は、メインメスコネクタ２０がメインオスコネクタ１２に接近してロック爪１２Ｌが片持ちアーム２２の先端２２Ｓに当接すると、片持ちアーム２２の先端２２Ｓはロック爪１２Ｌの傾斜に当接し（図１５）、さらにメインメスコネクタ２０が接近すると片持ちアーム２２の先端２２Ｓはその傾斜に沿って斜め上方に進み、さらにメインメスコネクタ２０が接近すると片持ちアーム２２の先端２２Ｓはロック爪１２Ｌを乗り越え、最終的にはロック爪１２Ｌが片持ちアーム２２の先端２２Ｓの近傍に形成された係止孔２２Ｌに嵌りこんでロック動作が完了し（図１６）、以後、互いに離脱できなくなる（離脱するには、以下のロック解除操作が必要となる）。この状態で、メインオスコネクタ１２とメインメスコネクタ２０の嵌合が完了する。
【００２７】
〈ロック爪１２Ｌと係止孔２２Ｌのロック解除〉
ロック爪１２Ｌが片持ちアーム２２の先端２２Ｓの近傍に形成された係止孔２２Ｌに嵌りこんだロック状態（図１６）からそのロックを解除するには、片持ちアーム２２の中間部分２２Ｍ（図１６）に指を当てて、ロック爪１２Ｌが係止孔２２Ｌから抜け出る方向に押圧しながらメインメスコネクタ２０をメインオスコネクタ１２から離す方向に引っ張ればよい。
なお、後述するが、この片持ちアーム２２の中間部分２２Ｍが簡単に押圧できないようにするため、本発明の別の実施例によりブロック部材４０Ｂ（図１、図２、図１７）で中間部分２２Ｍを覆っている。
さらに、このブロック部材４０Ｂが簡単に移動できないようにロックアシスタント４０の長尺状片持ち部材４０Ｋ（図１、図２）の先端の突起４０Ｔ（図１、図２）が片持ちアーム２２の先端に係止している。突起４０Ｔの後端側は傾斜がついていて、強く引っ張るとロックが解除できるようになっている。
【００２８】
〈インタロックオスコネクタ１３の構成〉
さて、図１〜図３に戻って、本発明に係る複合コネクタの第３の要素であるインタロックオスコネクタ１３の構成について説明する。
インタロックオスコネクタ１３は、主として信号線用のコネクタとして使用されるものでメインオスコネクタ１２と比較して小型に形成されている。往復信号線用の端子が共通ハウジング１７内に収納されている。このオスコネクタ１３の接続部自体の構成は公知の汎用のものでよい。
《特徴１》
本発明によって、ロック爪１３Ｈ（図４も参照）が、嵌合方向進むに伴って突起が次第に低くなるような傾斜が付与されている突起物としてインタロックオスコネクタ１３の外側に形成されている。このロック爪１３Ｈは、インタロックオスコネクタ１３がインタロックメスコネクタ３０と嵌合したとき互いに簡単に離脱できないようにするため相手方の係止孔３２Ｌに係止するためのものである。
【００２９】
〈インタロックメスコネクタ３０の構成〉
本発明に係る複合コネクタの第４の要素であるインタロックメスコネクタ３０（図１〜図３）も、同じく信号線用のコネクタとして使用されるものでメインメスコネクタ２０と比較して小型に形成されている。往復信号線用の端子が共通ハウジング３７内に収納されている。このインタロックメスコネクタ３０の端子部分は公知の汎用のものでよい。
共通ハウジング３７の下部には、メインメスコネクタ２０の上部に設けられた断面逆Ｌ字状の２本の長いレールとそれぞれ係合するための係合部３９が２個、本発明によって設けられており、各係合部３９が各レール２９とそれぞれ係合している。
《特徴１》
本発明によって、自由端が離脱方向を向いた片持ちアーム３０Ｌ（図１、図２）が共通ハウジング３７の後方（離脱方向）下部に設けられ、その自由端先端は下方を向いたＬ字状ストッパ３０Ｓとなっている。
《特徴２》
さらに、共通ハウジング３７には、共通ハウジング３７内で縦方向に延びる壁面３１（図３、図４）が共通ハウジング３７内の隅に形成されている。
本発明により、この壁面３１を洗濯バサミ形状のクリップの一方とし、この壁面３１から垂直に立設部３１Ｖ（図４）を立設し、その立設部３１Ｖの先端に洗濯バサミ状物の他方のクリップに相当する部分３２（以後、「クリップ３２」という）を形成している。そして、その先端手前に係止孔３２Ｌ（図４）が設けられ反対側を握り部分３０Ｈとしている。
壁面３１と立設部３１Ｖとクリップ３２は樹脂で一体成形されているので、固定の壁面３１に対して立設部３１Ｖとクリップ３２は弾性を備えており、若干可動することができ、可動しても元の状態に復元することができる。
そこでこの弾性力のあるクリップ３２に設けた係止孔３２Ｌとロック爪１３Ｈとのロック動作について説明する。
【００３０】
〈ロック爪１３Ｈと係止孔３２Ｌのロック動作〉
嵌合前は、上述したインタロックメスコネクタ３０とインタロックオスコネクタ１３とが、図４（ａ）のように互いに離間して対向している。
この状態から、インタロックメスコネクタ３０がインタロックオスコネクタ１３に接近すると、クリップ３２の先端がロック爪１３Ｈの傾斜部１３Ｋに当接し、クリップ３２の先端はその弾性によって軸から遠ざかりつつ傾斜部に沿って進み、さらにインタロックメスコネクタ３０が接近するとクリップ３２の先端はロック爪１３Ｈを乗り越え、最終的にはロック爪１３Ｈがクリップ３２の先端手前に形成された係止孔３２Ｌに嵌りこんでロック動作が完了する（図４（ｂ））。
このロック動作を解除するには、次の操作が必要となる。
【００３１】
〈ロック爪１３Ｈと係止孔３２Ｌのロック解除〉
ロック爪１３Ｈがクリップ３２の先端手前に形成された係止孔３２Ｌに嵌りこんだロック状態から、そのロックを解除するには、クリップ３２の握り部分３０Ｈ（図１〜図４）に指を当てて、ロック爪１３Ｈが係止孔３２Ｌから抜け出る方向に押圧すればよい。すると、立設部３１Ｖを支点として反対側、すなわち係止孔３２Ｌ側がロック爪１３Ｈから離れる方向に移動するので、ロック爪１３Ｈが係止孔３２Ｌから外れ、その状態でインタロックメスコネクタ３０を離脱方向に引き離せばよい。
【００３２】
〈ロックアシスタント４０の構成〉
図１〜図３に戻って、本発明に係る複合コネクタの最後の要素である第５の要素、ロックアシスタント４０について説明する。
上記の４つの要素は既知であるが、このロックアシスタント４０は本発明により発案されたもので、メインメスコネクタ２０の共通ハウジング３７の外周部に移動可能に取り付けられるものである。上記４つの要素を成形する樹脂よりも弾性変形し易い材質でできている。
ロックアシスタント４０は共通ハウジング３７の外周部に取り付けられる環状部４１と、この環状部４１の上方に設けられるロック部材４０Ｆと、この環状部４１の下方に嵌合方向に幅広で延設されるブロック部材４０Ｂと、同じく環状部４１の下方で前記ブロック部材４０Ｂの中心部から所定の間隔をあけた上方に環状部４１から嵌合方向に延設され先端で下方に突起４０Ｔが形成された長尺状片持ち部材４０Ｋとを備えている。
そこで、次に、これらの（１）ロック部材４０Ｆと、（２）ブロック部材４０Ｂと、（３）長尺状片持ち部材４０Ｋのそれぞれの動作について説明する。
【００３３】
〈ロック部材４０Ｆの動作〉
ロック部材４０Ｆはインタロックメスコネクタ３０のハウジング３７の後方下部に設けられたＬ字状ストッパ３０Ｓのハウジング３７側に位置しており（図１４も参照）、２つの役割をしている。
《役割１》
役割１は嵌合時のインタロックコネクタの優先嵌合の阻止である。
インタロックメスコネクタ３０がインタロックオスコネクタ１３と嵌合しようとして嵌合方向に移動する場合、メインオスコネクタ１２とメインメスコネクタ２０とが嵌合する軸方向の位置よりもさらに嵌合方向にインタロックメスコネクタ３０が移動しようとしても、インタロックメスコネクタ３０のＬ字状ストッパ３０Ｓがそれ以上の移動をロック部材４０Ｆによって阻止されるので、インタロックメスコネクタ３０が移動できなくなるのである。
したがって、メインオスコネクタ１２とメインメスコネクタ２０とが嵌合していなくてもインタロックメスコネクタ３０だけがインタロックオスコネクタ１３にさらに接近できて先に嵌合するということが、この役割１によって阻止される。
《役割２》
役割２は離脱時のメインコネクタの優先離脱の阻止である。
メインコネクタもインタロックコネクタも共に嵌合状態にある（図１７）とき、インタロックコネクタの離脱に先立ってメインメスコネクタ２０がメインオスコネクタ１２から離脱しようとしても、インタロックオスコネクタ１３と嵌合しているインタロックメスコネクタ３０のＬ字状ストッパ３０Ｓは不動であり、その
Ｌ字状ストッパ３０Ｓとメインメスコネクタ２０との隙間をロック部材４０Ｆが埋めているため、メインメスコネクタ２０は動けない。
したがって、インタロックオスコネクタ１３とインタロックメスコネクタ３０との離脱に先立ってメインメスコネクタ３０が先に離脱することが、この役割２によって阻止される。
【００３４】
〈ブロック部材４０Ｂの動作〉
ロックアシスタント４０はメインメスコネクタ２０のハウジング３７上を移動可能であるのでロックアシスタント４０が移動するとこれと一体のブロック部材４０Ｂも同じくメインメスコネクタ２０のハウジング３７下を移動することとなる。
図５はブロック部材を説明するメインメスコネクタの一部底面図で、（ａ）はブロック部材の待避状態、（ｂ）はブロック部材の機能状態を表している。
図において、ブロック部材４０Ｂが離脱方向の最後端に位置するときは図５（ａ）のようになる。すなわち、ブロック部材４０Ｂが片持ちアーム２２の中間部分２２Ｍの部位から離脱方向に待避している（図１６も参照）ので、操作者は中間部分２２Ｍを親指で（図で紙面から紙面の裏方向に）押すことで、片持ちアーム２２が持ち上げられその係止孔２２Ｌ（図３）に係止していたロック爪１２Ｌが外れ、メインオスコネクタ１２とメインメスコネクタ２０の離脱が可能となる。
一方、ロックアシスタント４０が嵌合方向に移動するとこれと一体のブロック部材４０Ｂも移動するので、メインメスコネクタ２０の底面図は図５（ｂ）のようになる。すなわち、ブロック部材４０Ｂが中間部分２２Ｍの部位に移動する（図１７、図１８参照）ので、ブロック部材４０Ｂがあるために、操作者は中間部分２２Ｍを押すことができなくなる。したがって、メインオスコネクタ１２とメインメスコネクタ２０の離脱が不可能となる。
【００３５】
〈長尺状片持ち部材４０Ｋの機能〉
図６は長尺状片持ち部材４０Ｋの待避・前進動作を説明する斜視図で、（ａ）は待避状態、（ｂ）は前進状態を示している。
（ａ）では、長尺状片持ち部材４０Ｋの先端の突起４０Ｔがメインメスコネクタの片持ちアーム２２の先端手前の係止孔２２Ｌに係止しているので、長尺状片持ち部材４０Ｋはインタロックメスコネクタ３０が嵌合方向へ移動することを阻止する機能を有している。
（ｂ）では、長尺状片持ち部材４０Ｋが嵌合方向の最先まで前進して、長尺状片持ち部材４０Ｋの突起４０Ｔは片持ちアーム２２の先端２２Ｓを乗り越えて先端２２Ｓに係止してロックおよび解除を補助する機能を有している。
【００３６】
〈長尺状片持ち部材４０Ｋの動作〉
長尺状片持ち部材４０Ｋはブロック部材４０Ｂの移動と一体移動をするので、長尺状片持ち部材４０Ｋが嵌合方向の最先まで移動すると、長尺状片持ち部材４０Ｋの突起４０Ｔはメインメスコネクタ２０の片持ちアーム２２の先端２２Ｓを乗り越えて先端２２Ｓに係止してロックおよび解除を補助する。
長尺状片持ち部材４０Ｋの突起４０Ｔを片持ちアーム２２の先端２２Ｓとの係止から外すには、ロックアシスタント４０の環状部４１を強く引っ張ることで長尺状片持ち部材４０Ｋの先端側が持ち上げられ、突起４０Ｔの傾斜部が片持ちアーム２２の先端２２Ｓから外れ、ロックアシスタント４０の移動が可能となる。
【００３７】
〈ブロック部材４０Ｂの動作〉
以上で、本発明に係る複合コネクタを構成する５つの要素（メインオスコネクタ１２・メインメスコネクタ２０・インタロックオスコネクタ１３・インタロックメスコネクタ３０・ロックアシスタント４０）のそれぞれの構成および機能を説明した。
次に、以上の構成と機能を備えた複合コネクタによれば、どのようにして、（１）嵌合時におけるインタロックコネクタ（１３と３０）がメインコネクタ（１２と２０）に優先して嵌合する誤嵌合が防止されるのか、および（２）離脱時におけるメインコネクタ（１２と２０）がインタロックコネクタ（１３と３０）に優先して離脱する誤離脱が防止されるのか、について、図７〜図１３を用いて説明する。図７〜図１３は本発明に係る複合コネクタを理解し易く模式化した図である。
【００３８】
〈複合コネクタの嵌合動作〉
まず、本発明に係る複合コネクタの嵌合動作と共に、嵌合時におけるインタロックコネクタがメインコネクタに優先して嵌合する誤嵌合が防止できる理由について図７〜図１０を用いて説明する。
〈まず、メインクコネクタが嵌合する。〉
（１）図７（ａ）は、本発明に係る複合コネクタが嵌合する前の互いに離間した状態を示している。
図において、オスコネクタ１０はメインオスコネクタ１２とインタロックオスコネクタ１３が一体化されたもので、それぞれのハウジング内にＫ１回路のオス端子（図示省略）とＫ２回路のオス端子（図示省略）をそれぞれ備えている。そして、インタロックオスコネクタ１３の上にはロック爪１３Ｈがある。
一方、Ｋ１回路のメス端子（図示省略）を備えたメインメスコネクタ２０のハウジングの上には、インタロックメスコネクタ３０とロックアシスタント４０がそれぞれ独立に移動可能に組み付けられている。また、Ｋ２回路のメス端子（図示省略）を備えたインタロックメスコネクタ３０には、ハウジングの上部にインタロックオスコネクタ１３のロック爪１３Ｈと係合する前述の洗濯バサミ状物のクリップ３２（図ではロック爪１３Ｈと係合するフック３２Ｌで表している。）を備え、ハウジングの後方下部には自由端先端が下方を向いたＬ字状ストッパ３０Ｓを備えている。
ロックアシスタント４０には、上部にロック部材４０Ｆが、下部に長尺状片持ち部材４０Ｋとブロック部材４０Ｂが設けられている。長尺状片持ち部材４０Ｋはその先端の突起４０Ｔがメインメスコネクタ２０の係止孔２２Ｌに没入しているので、ロックアシスタント４０がメインメスコネクタ２０のハウジング上を嵌合方向（図で右方向）に移動できないようになっている。したがって、ロックアシスタント４０のロック部材４０Ｆも嵌合方向に移動できず、ロック部材４０Ｆに当接しているＬ字状ストッパ３０Ｓ（すなわち、インタロックメスコネクタ３０）は嵌合方向に移動するのが阻止されている。
【００３９】
（２）図７（ｂ）は、メインコネクタ同士の嵌合直前の状態を示している。すなわち、メインオスコネクタ１２のロック爪１２Ｌがメインメスコネクタ２０の片持ちアーム２２の先端２２Ｓに接触して先端２２Ｓを持ち上げているが、まだメインオスコネクタ１２とメインメスコネクタ２０が嵌合していない状態を示している。
図において、長尺状片持ち部材４０Ｋの突起４０Ｔがメインメスコネクタ２０の係止孔２２Ｌに依然没入しているので、インタロックメスコネクタ３０は嵌合方向に移動することができず、したがって、メインオスコネクタ１２とメインメスコネクタ２０とが嵌合する前にインタロックメスコネクタ３０が先にインタロックオスコネクタ１３と嵌合することが、阻止されている《誤嵌合の防止策》。
【００４０】
（３）図８（ｃ）は、メインオスコネクタ１２のロック爪１２Ｌがメインメスコネクタ２０の片持ちアーム２２の先端２２Ｓを越えて、先端２２Ｓと係合し、メインオスコネクタ１２とメインメスコネクタ２０が嵌合した状態を示している。そして、図から判るように、メインオスコネクタ１２のロック爪１２Ｌがメインメスコネクタ２０の係止孔２２Ｌに下側から没入したため、長尺状片持ち部材４０Ｋの突起４０Ｔが係止孔２２Ｌから押し出され、これによりロックアシスタント４０はメインメスコネクタ２０のハウジング上を嵌合方向に移動できるようになっている。
【００４１】
（４）図８（ｄ）は、メインオスコネクタ１２とメインメスコネクタ２０が嵌合した後、メインメスコネクタ２０のハウジング上を嵌合方向に移動できるようになったロックアシスタント４０（したがって、長尺状片持ち部材４０Ｋ）が嵌合方向（図で右方向）に若干移動し始めた状態を示している。
【００４２】
（５）図９（ｅ）は、長尺状片持ち部材４０Ｋが嵌合方向の最先まで移動して、長尺状片持ち部材４０Ｋの突起４０Ｔがメインメスコネクタ２０の片持ちアーム２２の先端２２Ｓを越えて先端２２Ｓに係止した状態を示している。
したがって、ロックアシスタント４０のロック部材４０Ｆも嵌合方向に移動したので、ロック部材４０ＦとＬ字状ストッパ３０Ｓの間には大きな空隙ができている。図８（ｃ）では空隙がなかったのでインタロックメスコネクタ３０は嵌合方向に移動できなかったが、今ではインタロックメスコネクタ３０は嵌合方向に移動できるようになっている。
【００４３】
（６）図９（ｆ）は、嵌合方向に移動できるようになったインタロックメスコネクタ３０がメインメスコネクタ２０のハウジング上を嵌合方向に若干移動し始めて、先端のフック３２Ｌがロック爪１３Ｈに当接してこれを乗り越えようとしている状態（でも、インタロックメスコネクタ３０はインタロックオスコネクタ１３とまだ嵌合していない）を示している。なお、メインメスコネクタ２０はメインオスコネクタ１２と既に図８（ｃ）で嵌合している。
【００４４】
（７）図１０（ｇ）は、インタロックメスコネクタ３０の先端のフック３２がＬロック爪１３Ｈを乗り越えて、インタロックメスコネクタ３０がインタロックオスコネクタ１３と嵌合した状態を示している。ここで、ようやく、インタロックオスコネクタ１３とインタロックメスコネクタ３０の嵌合（Ｋ２回路の接続）が完了する。
以上のように、本発明に係る複合コネクタは、嵌合時におけるインタロックコネクタ（１３と３０）がメインコネクタ（１２と２０）に優先して嵌合する誤嵌合を防止する機能を備えている。
【００４５】
〈複合コネクタの離脱動作〉
次に、複合コネクタの離脱動作について図１１〜図１３に基づいて説明する。
すなわち、離脱時におけるメインコネクタがインタロックコネクタに優先して離脱する誤嵌合が防止できる理由について説明する。
【００４６】
〈まず、インタロックコネクタが離脱する。〉
（１）図１１（ａ）は、本発明に係る複合コネクタが嵌合した状態、すなわち、メインコネクタ（Ｋ１回路）もインタロックコネクタ（Ｋ２回路）も嵌合した状態を示している。ここで、インタロックコネクタ（Ｋ２回路）が嵌合した状態で、先にメインコネクタ（Ｋ１回路）を離脱させようとしても、（イ）インタロックオスコネクタ１３のロック爪１３Ｈとインタロックメスコネクタ３０の係止部３２Ｌが係止しているため、および（ロ）メインメスコネクタ２０の片持ちアーム２２の先端２２Ｓがロック爪１２Ｌに係止しているための二重のロック機能によって離脱できない。
したがって、メインメスコネクタ２０の片持ちアーム２２の先端２２Ｓがロック爪１２Ｌから外れるようにするには、片持ちアーム２２の中間部２２Ｍ（図５も参照）を内部に押圧すればよいが、図１１（ａ）から判るようにロックアシスタント４０のブロック部材４０Ｂが中間部２２Ｍを覆っているので押圧できない。ブロック部材４０Ｂが後退移動して中間部２２Ｍを露出させるには、ロックアシスタント４０を強く引っ張れば長尺状片持ち部材４０Ｋの突起４０Ｔが片持ちアーム２２の先端２２Ｓから外れ、ロックアシスタント４０が（したがってブロック部材４０Ｂも）が後退移動可能となる。
【００４７】
（２）そこで、まず、インタロックメスコネクタ２０の係合部３２とインタロックオスコネクタ１３とのロック爪１３Ｈとの係止を外して、インタロックメスコネクタ２０をインタロックオスコネクタ１３から引っ張ると、図１１（ｂ）のように、複合コネクタのうちインタロックコネクタ（Ｋ２回路）が離脱する。
このように、本発明によれば、インタロックコネクタ（Ｋ２回路）が嵌合した状態で、先にメインコネクタ（Ｋ１回路）を離脱させようとしても不可能であり、必ずインタロックコネクタ（Ｋ２回路）が先に離脱するようになる《誤離脱の防止策》。
したがって、モータとインバータが接続されたメイン回路（Ｋ１）にメインコネクタを使用しかつそのモータの制御回路（Ｋ２）にインタロックコネクタを使用した場合、本発明によれば、まずモータの制御回路の信号が遮断されるのでこれ以降はモータは駆動されなくなり、モータは慣性でしばらく回転したあと停止する。停止した頃にメイン回路（Ｋ１）のメインオスコネクタ１２とメインメスコネクタ２０が離脱するような時間遅れの操作手順にしておくと、インバータの接続されているコネクタ端子に誤って触れても（すでにモータは停止しているので発電することはなく）感電することはない。
【００４８】
〈次いで、メインクコネクタが離脱する。〉
（３）嵌合状態のメインメスコネクタ２０とオスコネクタ１０を離脱させるために、まず、図１２（ｃ）に示すように、ロックアシスタント４０を後方に強く引っ張れば長尺状片持ち部材４０Ｋの突起４０Ｔの傾斜部が片持ちアーム２２の先端２２Ｓから外れるので、図１２（ｄ）に示すようにロックアシスタント４０を後方に後退させることができる。そうすると、ロックアシスタント４０と一体に延設されたブロック部材４０Ｂも後方に後退するので、片持ちアーム２２の中間部分２２Ｍが露出する。
（４）次に、中間部２２Ｍを内側に押すとメインメスコネクタ２０の片持ちアーム２２とメインオスコネクタ１２のロック爪１２Ｌとの係止が解除される（図１３ｅ）。
【００４９】
（５）この状態を保ちながらメインメスコネクタ２０を後方に引くと、メインメスコネクタ２０はオスコネクタ１０から離脱しＫ１回路が開となり、片持ちアーム２２から指を離せば、片持ちアーム２２は弾性で元の状態に復帰し、ようやくメインコネクタの離脱が完了する（図１３ｆ）。
このように、本発明に係る複合コネクタは、離脱時におけるメインコネクタ（１２と２０）がインタロックコネクタ（１３と３０）に優先して離脱する誤離脱を防止する機能を備えている。
【００５０】
以上、複合コネクタの動作を理解し易くするため模式図で説明したが、模式図で説明できなかった片持ちアーム２２の周辺の動作について複合コネクタの縦断面図である図１４〜図１７を用いて補足説明する。
〈嵌合動作〉
図１４は、インタロックメスコネクタ３０とロックアシスタント４０を移動可能に組み付けたメインメスコネクタ２０が、メインオスコネクタ１２とインタロックオスコネクタ１３が一体化されたオスコネクタ１０に接近した状態の縦断面図で、図７（ａ）に対応している。
図１４において、１２Ｌがメインオスコネクタ１２のハウジング１５の下部にあるロック爪である。このロック爪１２Ｌは、メインメスコネクタ２０のハウジング下部に延設された片持ちアーム２２の先端手前に設けられた係止孔２２Ｌに係止すると嵌合が完成する。
また、３０Ｓはインタロックメスコネクタ３０の下部の後方（離脱方向）に延設された片持ちアーム３０Ｌの先端で下方に向けて設けられたＬ字状ストッパ３０Ｓである。このＬ字状ストッパ３０Ｓは、ロックアシスタント４０の上方の嵌合方向（Ｘ方向）に設けられたロック部材４０Ｆと当接している。このとき、ロックアシスタント４０の下方の長尺状片持ち部材４０Ｋの先端の突起４０Ｔが片持ちアーム２２の先端手前の係止孔２２Ｌに係止しているので、インタロックメスコネクタ３０は嵌合方向への移動を阻止されている。
【００５１】
図１５は、メインメスコネクタ２０の片持ちアーム２２の先端にメインオスコネクタ１２のロック爪１２Ｌが当接した状態を示している。
この状態で、インタロックメスコネクタ３０がインタロックオスコネクタ１３と嵌合しようとしても、インタロックメスコネクタ３０のＬ字状ストッパ３０Ｓがそれ以上の移動をロック部材４０Ｆによって阻止されるので、インタロックメスコネクタ３０が移動できない。したがって、メインオスコネクタ１２とメインメスコネクタ２０とが嵌合していない状態で、インタロックメスコネクタ３０だけがインタロックオスコネクタ１３に先に嵌合することは阻止されている。
【００５２】
図１６のように、メインオスコネクタ１２とメインメスコネクタ２０が嵌合されると、メインオスコネクタ１２のロック爪１２Ｌがメインメスコネクタ２０の係止孔２２Ｌに下側から没入するため、長尺状片持ち部材４０Ｋの突起４０Ｔが係止孔２２Ｌから押し出され、ロックアシスタント４０はメインメスコネクタ２０のハウジング上を嵌合方向に移動できるようになる。この図は図８（ｄ）に対応している。
【００５３】
（４）図１７はロックアシスタント４０がメインメスコネクタ２０のハウジング上を嵌合方向に移動して、かつインタロックオスコネクタ１３とインタロックメスコネクタ３０が嵌合した状態を示している。この状態で、長尺状片持ち部材４０Ｋの先端の突起４０Ｔは片持ちアーム２２の先端２２Ｓを乗り越えて先端２２Ｓに係止している。この図は図１０（ｇ）に対応している。
以上のように、本発明によれば、嵌合時におけるインタロックコネクタ（１３と３０）がメインコネクタ（１２と２０）に優先して嵌合する誤嵌合を防止することができる。
【００５４】
〈離脱動作〉
図１７の嵌合状態では、インタロックオスコネクタ１３とインタロックメスコネクタ３０との離脱に優先してメインオスコネクタ１２とメインメスコネクタ２０との離脱をすることは、２重のロック機能によってロックアシスタント４０が離脱方向（図で左方向）に後退できないために、不可能となっている。
１つのロック機能は、インタロックオスコネクタ１３とインタロックメスコネクタ３０が嵌合しているので、ロックアシスタント４０のロック部材４０Ｆがインタロックメスコネクタ３０の下部後方にあるＬ字状ストッパ３０Ｓに移動を規制されていることであり、もう１つのロック機能は、ロックアシスタント４０の長尺状片持ち部材４０Ｋの先端の突起４０Ｔが片持ちアーム２２の先端２２Ｓを乗り越えて先端２２Ｓに係止しているので、ロックアシスタント４０が離脱方向に後退できないことである。
ロックアシスタント４０が離脱方向に移動できないと、ロックアシスタント４０の下方にあるブロック部材４０Ｂは片持ちアーム２２の中間部分２２Ｍ（図１６）を覆ったままであるので、この状態ではブロック部材４０Ｂが邪魔して片持ちアーム２２の中間部分２２Ｍを内側に押すことができないため、メインオスコネクタ１２のロック爪１２Ｌをメインメスコネクタ２０の係止孔２２Ｌから外すことができず、メインオスコネクタ１２とメインメスコネクタ２０との離脱はできない。
【００５５】
そこで、メインオスコネクタ１２とメインメスコネクタ２０を離脱するためには、２重のロック機能を解除しなければならない。
第１のロック機能を解除するには、図１８のように、インタロックメスコネクタ３０をインタロックオスコネクタ１３から離脱させて、インタロックメスコネクタ３０を後方に（図で左方向に）後退させればよい。これにより、メインコネクタの優先離脱といった誤離脱が阻止される。
第２のロック機能を解除するには、図１９のように、ロックアシスタント４０を後方に強く引っ張ることで、長尺状片持ち部材４０Ｋの突起４０Ｔの後方の傾斜部が片持ちアーム２２の先端２２Ｓに乗り上げてこれからから外れるので、ロックアシスタント４０のブロック部材４０Ｂを後方に（図で左方向に）後退させればよい。
ロックアシスタントのブロック部材４０Ｂを後方に後退させた図は、図１６の状態となる。したがって、ブロック部材４０Ｂが中間部分２２Ｍから後退すると、操作者は中間部分２２Ｍを押すことができるようになるので、メインオスコネクタ１２とメインメスコネクタ２０を離脱することができる。
このように、本発明によれば、離脱時におけるメインコネクタ（１２と２０）がインタロックコネクタ（１３と３０）に優先して離脱する誤離脱を防止することができる。
【００５６】
以上のように、メインオスコネクタ１２とメスコネクタ２０との嵌合・離脱とインタロックオスコネクタ１３とインタロックメスコネクタ３０との嵌合・離脱との間に時間差を設けることで、インタロック信号回路Ｋ２の遮断によりモータなどの回転機器を停止させ、次に所定の時間遅れでメイン回路Ｋ１が遮断されるので、メイン回路Ｋ１が遮断されるときにはモータなどの回転機器は完全に回転を停止しており、したがってＫ１回路のコネクタに接続されているインバータなどの機器によって感電する危険性をなくすことができる。
【図面の簡単な説明】
【００５７】
【図１】本発明に係る複合コネクタを示す分解斜視図である。
【図２】図１の複合コネクタの正面図である。
【図３】離脱させた状態の本発明に係る複合コネクタの斜視図で、（ａ）はメインメスコネクタ側、（ｂ）はメインオスコネクタ側を表している。
【図４】インタロックオスコネクタとインタロックメスコネクタとの係止部を説明する斜視図で、（ａ）は係止前、（ｂ）は係止状態を表している。
【図５】メインオスコネクタとメインメスコネクタとの係止を解除する係止解除を阻止するブロック部材を説明するメインメスコネクタの一部底面図で、（ａ）はブロック部材の待避状態、（ｂ）はブロック部材の機能状態を表している。
【図６】長尺状片持ち部材４０Ｋの待避・前進動作を説明する斜視図で、（ａ）は待避状態、（ｂ）は前進状態を示している。
【図７】インタロックコネクタの優先誤嵌合を防止する本発明の第１機能を説明する図の第１ページである。
【図８】図７のページに続く第２ページである。
【図９】図８のページに続く第３ページである。
【図１０】図９のページに続く第４ページ（最終ページ）である。
【図１１】メインコネクタの優先誤離脱を防止する本発明の第２機能を説明する図の第１ページである。
【図１２】図１１のページに続く第２ページである。
【図１３】図１２のページに続く第３ページ（最終ページ）である。
【図１４】メインメスコネクタとメインオスコネクタが離脱した状態を表す図で、軸を通る垂直な面で切った縦断面図である。
【図１５】メインメスコネクタとメインオスコネクタが接触したが未嵌合状態を表す図で、軸を通る垂直な面で切った縦断面図である。
【図１６】メインコネクタ嵌合・インタロックコネクタ非嵌合・ブロック部材待避の状態を表す図で、軸を通る垂直な面で切った縦断面図である。
【図１７】メインコネクタとインタロックコネクタの双方が嵌合した状態を表す図で、軸を通る垂直な面で切った縦断面図である。
【図１８】インタロックコネクタのみ離脱・メインコネクタ嵌合の状態を表す図で、軸を通る垂直な面で切った縦断面図である。
【図１９】ロックアシスタントの押圧部片を説明するための図で、軸を通る垂直な面で切った一部切り欠きの縦断面図である。
【符号の説明】
【００５８】
１  本発明に係る複合コネクタ
１０  オスコネクタ
１１  共通フランジ
１２  メインオスコネクタ
１２Ｌ  ロック爪
１３  インタロックオスコネクタ
１３Ｈ  ロック爪
１４  円筒ハウジング
１５  延設ハウジング
１６  端子
２０  メインメスコネクタ
２２  片持ちアーム
２２Ｌ  係止孔
２２Ｍ  中間部分
２２Ｓ  先端
２５  共通ハウジング
２６  端子
２９  断面逆Ｌ字状レール
３７  共通ハウジング
３０  インタロックメスコネクタ
３０Ｌ  片持ちアーム
３０Ｓ  Ｌ字状ストッパ
３１  壁面
３１Ｖ  立設部
３２  洗濯バサミ状物のクリップ部分
３２Ｌ  係止孔
３７  共通ハウジング
３９  係合部
４０  ロックアシスタント
４０Ｂ  ブロック部材
４０Ｆ  ロック部材
４０Ｋ  長尺状片持ち部材
４０Ｔ  突起
４１  環状部
【図１】
2010129312.tif 000003
【図２】
2010129312.tif 000004
【図３】
2010129312.tif 000005
【図４】
2010129312.tif 000006
【図５】
2010129312.tif 000007
【図６】
2010129312.tif 000008
【図７】
2010129312.tif 000009
【図８】
2010129312.tif 000010
【図９】
2010129312.tif 000011
【図１０】
2010129312.tif 000012
【図１１】
2010129312.tif 000013
【図１２】
2010129312.tif 000014
【図１３】
2010129312.tif 000015
【図１４】
2010129312.tif 000016
【図１５】
2010129312.tif 000017
【図１６】
2010129312.tif 000018
【図１７】
2010129312.tif 000019
【図１８】
2010129312.tif 000020
【図１９】
2010129312.tif 000021